(57)【要約】【課題】特に散水設備を天井設置型とした場合に、散水設備の修理、交換などの作業が安全に、かつ、簡単に行なうことができ、散水が霧状になって周囲に飛散することを防止して鉄骨や電気設備の腐食を防ぎ、さらに、節水効果も期待できる廃棄物処分場を得る。【解決手段】廃棄物２の収容部１の上方を建屋３などの被覆設備で覆った被覆型の廃棄物処分場において、前記被覆設備の下部に、複数の区画に分割した分割体５ａ、５ｂ…で構成する散水装置５を配設し、前記各分割体５ａ、５ｂ…毎に伸縮装置１４を連結し、分割体５ａ、５ｂ…毎に単独の上下動を可能にした。【選択図】        図１
2005000720.tif 000002
【特許請求の範囲】
【請求項１】
廃棄物の収容部の上方を建屋などの被覆設備で覆った被覆型の廃棄物処分場において、前記被覆設備の下部に、複数の区画に分割した分割体で構成する散水装置を配設し、前記各分割体毎に昇降装置を連結し、分割体毎に単独の上下動を可能にしたことを特徴とする廃棄物処分場。
【請求項２】
前記被覆設備の下部に昇降自在に枠体を配設し、前記散水装置はこの枠体の下部に配設される複数の散水栓で構成されることを特徴とする請求項１記載の廃棄物処分場。
【発明の詳細な説明】
【０００１】
【発明の属する技術分野】
この発明は産業活動によって排出される産業廃棄物や一般家庭から排出される一般廃棄物などの廃棄物を処分するための最終処分場に関するものである。
【０００２】
【従来の技術】
一般家庭から出される分別ごみ、粗大ごみなどの一般廃棄物や、公共施設などから排出される焼却灰、集塵灰、汚泥などの産業廃棄物を処分するための処理施設として埋立型の廃棄物処分場がある。
【０００３】
この廃棄物処分場は地盤を掘削造成した部分を収容部としてここに廃棄物を投入するものであるが、収容部の上方を建屋などの被覆設備で覆う被覆型のものがあり、このような被覆型の廃棄物処分場では基本的に埋立物（廃棄物）を分解させるための雨水水分補給が自然にはなされないため、生物分解促進を促す散水設備が必要となる。また、廃棄物の収容部が閉鎖空間内に形成されることになるため、この点からも散水設備が必要になる。
【０００４】
そこで、散水設備を備えた廃棄物処分場が従来から存在する。図４はその一例を示し、地盤を掘削造成して形成した収容部１の上方に被覆設備として建屋３を構築し、上方を建屋３の屋根４で覆ったもので、屋根４の梁下に散水装置１５を配設してある。この散水装置は例えば給水管を水平には配管し、この給水管から下方に向けて多数の散水ノズルを設けたものである（例えば、特許文献１参照）。
【０００５】
そして、収容部１に投入してある廃棄物２に散水ノズルから散水して、廃棄物２内の有機物の分解促進、有機物の洗出しによる廃棄物２の無害化を図るようにしている。
【０００６】
前記散水設備は天井設置型のものであるが、他のタイプとして床に設置するガンタイプのものもあり、これは地上設置型であることから、前記天井設置型のものに比較して修理交換は容易である。
【０００７】
【特許文献１】
特開２０００−１８９９１９号公報
【０００８】
【発明が解決しようとする課題】
被覆型最終処分場の建屋は、屋内で重機による埋立作業を行なう必要があることから、内空高さが大きく、散水設備が天井設置型の場合、屋根の梁下に設置した散水設備は故障やメンテナンス時の修理、交換が高所作業となって、危険を伴い、作業性がよくない。
【０００９】
また、散水は円錐状の水滴となって上方から散布されるが、天井下の散水口と廃棄物との間に距離があることから、霧状となった水滴は建屋場内に拡散し、建屋の鉄骨や電気設備に付着し、腐食の原因となる。特に、散水に使用する水として、脱塩処理を施していない浸出液処理水や鉄分の多い地下水、表流水を使用する場合はその度合いが顕著になる。
【００１０】
散水設備を地上設置型とした場合は、散水は高圧で扇形に散水するため、着水時の跳ね返りがあり、また、均等に散布するために、吐出口に設けたフラップで水を叩くようにするが、この際に水が霧状となり場内に広がる。その結果、天井設置型と同様に鉄骨や電気設備に付着して腐食の原因となる。
【００１１】
この発明の目的は特に散水設備を天井設置型とした場合に、散水設備の修理、交換などの作業が安全に、かつ、簡単に行なうことができ、散水が霧状になって周囲に飛散することを防止して鉄骨や電気設備の腐食を防ぎ、さらに、節水効果も期待できる廃棄物処分場を提供することにある。
【００１２】
【課題を解決するための手段】
この発明は前記目的を達成するため、請求項１の本発明は、廃棄物の収容部の上方を建屋などの被覆設備で覆った被覆型の廃棄物処分場において、前記被覆設備の下部に、複数の区画に分割した分割体で構成する散水装置を配設し、前記各分割体毎に上下動装置を連結し、分割体毎に単独の上下動を可能にしたことを特徴とする。
【００１３】
請求項１記載の本発明によれば、散水装置を分割体で構成することで、分割体の単位で散水装置を作動させることができ、これにより散水範囲を限定、特定できて節水を図れる。また、昇降装置を作動することで散水装置を廃棄物の近くまで下降させることができるから、散水口から吐出する水を廃棄物のみに集中して限定的に散水することができ、周囲への水の飛散を防げる。よって、周囲の鉄骨や電気設備に水が付着することを防ぐことができ、腐食の促進を抑えることができる。
【００１４】
請求項２記載の本発明は、前記被覆設備の下部に昇降自在に枠体を配設し、前記散水装置はこの枠体の下部に配設される複数の散水栓で構成されることを特徴とする。
【００１５】
請求項２記載の本発明によれば、散水装置の昇降はこれが取り付けられる枠体を昇降するだけで分割体の単体毎に簡単に行なえる。
【００１６】
【発明の実施の形態】
以下、図面についてこの発明の実施の形態を詳細に説明する。図１はこの発明の廃棄物処分場の実施形態を示す概略説明図で、この発明の廃棄物処分場は、図４に示した従来例と同様に被覆型の廃棄物処分場で、地盤を掘削造成した部分を廃棄物の収容部１とし、この上方を建屋３で覆い、建屋３内に散水設備５を配設するものである。
【００１７】
かかる構造の廃棄物処分場において、この発明の散水設備５は、図１に示すように屋根４の梁下に配設する散水設備５を区画して複数の分割体５ａ、５ｂ…で構成し、各分割体５ａ、５ｂ…の単位で昇降自在に配置した。
【００１８】
散水設備５の構成は、図２に示すように散水用配管６を建屋３の梁下など、建屋３内の空間の上方に水平に配設し、この散水用配管６に適宜間隔で複数の散水ホース７の一端を接続する。この散水ホース７は高圧に耐えられるよう耐圧性のものとする。
【００１９】
一方、直方体形状の枠体で形成する複数の架台８を昇降自在に建屋３内に並べて配置し、この架台８の下部に桝目状に散水栓用配管９を取り付け、この散水栓用配管９の下部に複数の散水栓１０を適宜間隔で取り付ける。そして、前記散水ホース７の先端を散水栓用配管９に接続する。
【００２０】
図中１６は屋根４の下に設置される、前記散水ホース７のガイド装置で、散水栓用配管９および架台８を吊支して上下動自在に支持するガイドロープ１１と、このガイドロープ１１の巻き取り装置１２とで構成する。散水ホース７は、ガイドロープ１１に沿って散水用配管６から垂設されるが、架台８が上下動してもガイドロープ１１に絡まないようにリング状の金具１３で途中の適宜箇所をガイドロープ１１に固定する。この場合、散水ホース７はガイドロープ１１に対してループ状にしてたるませた状態で沿わせるようにする。
【００２１】
前記架台８の縦桟の部分は、これを伸縮自在に形成して伸縮装置１４に接続し、または、縦桟自体を伸縮装置１４で構成する。伸縮装置１４としては、例えば巻き取り繰り出し自在なワイヤーロープ、油圧ジャッキによる駆動装置、歯車による駆動装置や、これらの組み合わせが考えられ、この伸縮装置１４と前記ガイド装置１６が散水設備５の分割体５ａ、５ｂの昇降装置となる。
【００２２】
このようにして散水設備５は各分割体５ａ、５ｂ…毎に独立して昇降自在に配設される。
【００２３】
なお、前記実施形態は架台８の上部は固定して、散水栓用配管９のみを上下動するように構成したが、これに限定されるものではなく、散水栓用配管９が上下動すれば架台８全体を昇降させてもよい。また、架台８自体の昇降と散水栓用配管９の昇降とを組み合わせることもできる。
【００２４】
また、散水ホース７は可撓性のものに限定されず、耐圧性を考慮して鋼管で構成することもできる。この場合は、散水用配管６から吊下げられる伸縮部をスイベルジョイントなどのジョイント結合とする。
【００２５】
次に、収容部１に投入された廃棄物２に散水する方法を説明する。投入された廃棄物２のうち、散水を必要としている部分の上方に位置する散水設備５の分割体、例えば分割体５ａのみを作動してこの下方の廃棄物２に散水する。この場合、廃棄物２の量や質に対応させて散水栓用配管９を昇降させ、廃棄物２との距離を調整する。
【００２６】
散水栓用配管９の昇降は、伸縮装置１４を作動し、これを伸縮することでこの伸縮装置１４の下部に取り付けられている散水栓用配管９を昇降し、これにより、散水栓用配管９に設けてある散水栓１０を昇降させる。また、この散水栓用配管９の昇降に追随して散水栓用配管９を吊支しているガイドロープ１１が巻き取り装置１２から繰り出され、または、巻き取られるが、このとき、散水ホース７はリング状の金具１３でガイドロープ１１に沿わせてあるから、散水ホース７がガイドロープ１１に絡み付くおそれはない。
【００２７】
そして、散水栓１０から廃棄物２に高圧水を噴射する。この水の噴射は廃棄物２に近い距離で行なわれるから、散水を必要とする廃棄物２に対してのみ集中して限定的に行なわれ、周囲に飛散することがないから、周囲の鉄骨や電気設備に水が付着することはない。
【００２８】
また、前記のように散水範囲が限定されることで、節水を図ることもできる。
【００２９】
散水栓１０に目詰まりや故障が発生した場合は、ガイドロープ１１を繰り出すとともに、伸縮装置１４を伸長して散水栓１０を下降させれば、地上近くの位置に散水栓１０を配置できるから、この位置で修理、交換の作業を行なえば容易である。
【００３０】
散水に使用する水は、地下水、雨水、表流水、浸出液処理水などの利用が可能である。
【００３１】
【発明の効果】
以上述べたようにこの発明の廃棄物処分場は、特に散水設備を天井設置型とした場合に、散水設備を昇降できるから、これを地上近くに下降させることで散水設備の修理、交換などの作業が安全に、かつ、簡単に行なうことができる。また、廃棄物の近くで散水できるから、散水が霧状になって周囲に飛散して鉄骨や電気設備に付着することを防止して鉄骨や電気設備の腐食を防ぎ、さらに、散水を必要とする廃棄物のみを限定して集中的に散水できるから節水効果も期待できるものである。
【図面の簡単な説明】
【図１】この発明の廃棄物処分場の実施形態を示す全体の概略図である。
【図２】この発明の廃棄物処分場の実施形態を示す縦断正面図である。
【図３】この発明の廃棄物処分場の実施形態を示す要部の散水設備の斜視図である。
【図４】従来の廃棄物処分場の概略図である。
【符号の説明】
１  収容部                      ２  廃棄物
３  建屋                        ４  屋根
５  散水設備                    ５ａ、５ｂ…  分割体
６  散水用配管                  ７  散水ホース
８  架台                        ９  散水栓用配管
１０  散水栓                    １１  ガイドロープ
１２  巻き取り装置              １３  金具
１４  伸縮装置                  １５  散水装置
１６  ガイド装置
【図１】
2005000720.tif 000003
【図２】
2005000720.tif 000004
【図３】
2005000720.tif 000005
【図４】
2005000720.tif 000006